(57)【要約】【課題】Ｕ字形冷陰極管の管径が同一であればＵ字形冷陰極管のピッチが異なっていても、そのピッチに合致するように左右のランプ保持部の相互間隔を変更して共用することができる便利な可変ランプソケットを提供する。【解決手段】Ｕ字形冷陰極管の両端部を保持する左右のランプ保持部２，２と、左右のランプ保持部を連結する横長の連結部３と、下方に突き出す左右の脚部４，４とを、エラストマーで一体に成形したランプソケットＬＳにおいて、上記連結部３に上下方向に貫通する空洞部３ａを形成し、上記連結部３を前壁部３ｂと後壁部３ｃを有する二重壁構造として湾曲変形し易くする。連結部３を湾曲変形させることにより左右のランプ保持部２，２の相互間隔を任意に短縮、変更可能とし、Ｕ字形冷陰極管のピッチが異なっても共用できるようにして、コストダウンを図ると共に、面倒な仕分け作業をなくす。【選択図】図１
2012221712.tif 000002
【特許請求の範囲】
【請求項１】
Ｕ字形冷陰極管の両端部を保持する左右のランプ保持部と、左右のランプ保持部を連結する横長の連結部と、下方に突き出す左右の脚部とを、エラストマーで一体に成形したランプソケットであって、
上記連結部に上下方向に貫通する空洞部を形成して、上記連結部を前壁部と後壁部を有する二重壁構造としたことを特徴とする可変ランプソケット。
【請求項２】
前記連結部の左右両端近傍部において、前記連結部の前面に上下方向の切欠き溝を設けると共に、前記空洞部の後面と左右の側面とで形成されるコーナー部に上下方向の切欠き溝を設けたことを特徴とする請求項１に記載の可変ランプソケット。
【請求項３】
前記連結部の左右中間部において、前記前壁部の後面を前方へ湾曲する湾曲面となして前記前壁部を薄肉化すると共に、前記後壁部の後面を前方へ湾曲する湾曲面となして前記後壁部を薄肉化したことを特徴とする請求項１又は請求項２に記載の可変ランプソケット。
【請求項４】
前記連結部の左右中央部において、前記前壁部の後面に上下方向の切欠き溝を設けると共に、前記後壁部の後面に上下方向の切欠き溝を設けたことを特徴とする請求項１又は請求項２に記載の可変ランプソケット。
【発明の詳細な説明】
【技術分野】
【０００１】
本発明は、液晶モジュールにバックライトとして組み込まれるＵ字形冷陰極管の両端部を保持固定するランプソケットに関し、更に詳しくは、Ｕ字形冷陰極管の両端部を保持する左右のランプ保持部の相互間隔が可変であるため、Ｕ字形冷陰極管の管径が同一であればＵ字形冷陰極管のピッチ（左右の冷陰極管の相互間隔）が異なる場合でも、同じものを共用してＵ字形冷陰極管の両端部を保持固定することができる便利な可変ランプソケットに関する。
【背景技術】
【０００２】
従来の一般的なランプソケット１００は、図１０に示すように、Ｕ字形冷陰極管１の両端部を保持する左右のランプ保持部１０１，１０１と、これらのランプ保持部１０１，１０１を連結する横長の連結部１０２と、下方に突き出す左右の脚部（不図示）とを、合成ゴムなどのエラストマーで一体に成形したものであって、左右の脚部を液晶モジュールのリアフレームの穴に嵌め込むことによってリアフレームの内側に取付けられ、Ｕ字形冷陰極管１の電極１ｂ，１ｂにハンダ付けされたランプワイヤが脚部の孔を通してリアフレームの背後に引き出されるようになっている。このランプソケット１００のように左右のランプ保持部１０１，１０１を連結部１０２で連結一体化しているのは、リアフレームへの組立取付後に左右のランプ保持部１０１，１０１の捻じれや移動を防止し、Ｕ字形冷陰極管１の装着安定化を図るためである。
【０００３】
一方、バックライトシャーシの左右の側板の内面に複数のソケットを対向させて配設し、ランプ保持部で平行に保持された複数本の直管状ランプの両端部を案内体でソケットに案内して取付けた光源装置が知られている（特許文献１）。
【０００４】
また、両端部に電極が取付けられ略Ｕ字形に屈曲した複数のランプが、一のランプの両端部と隣接するランプの両端部とが反対方向を向くように、外囲器内に並列配置されると共に、各ランプの両端部が、隣接するランプの屈曲部よりも外囲器の側壁に近づけて配され、各ランプの両端部がシリコンゴム製のブッシュで個別に保持されて外囲器内に固定されているバックライトユニットも知られている（特許文献２）。
【０００５】
また、ランプソケットではなく、並置される複数本のランプを挟持するクリップに関するものであるが、柱形突起を立設した取付部と、その両側のランプを挟持する二つの挟持部との間に、挟持部相互間の距離を変更する方向への撓みが可能な二つの可撓部を設けたものも知られている（特許文献３）。
【先行技術文献】
【特許文献】
【０００６】
【特許文献１】特開２０１０−８０１９５号公報
【特許文献２】国際公開第０６／１１４９７５号
【特許文献３】特開２００８−６６２８３号公報
【発明の概要】
【発明が解決しようとする課題】
【０００７】
しかしながら、図１０に示す従来のランプソケット１００は、左右のランプ保持部１０１，１０１の相互間隔が可変ではなく一定しているため、Ｕ字形冷陰極管１のピッチ（左右の冷陰極管１ａ，１ａの相互間隔）が異なると、Ｕ字形冷陰極管１の両端部を左右のランプ保持部１０１，１０１に嵌合保持させて取付けることができないという問題があった。そのため、従来は、ピッチが異なるＵ字形冷陰極管ごとに専用のランプソケットを揃える必要があるので、コスト高となり、仕分け作業も面倒であった。
【０００８】
これに対し、前記特許文献１の光源装置や前記特許文献２のバックライトユニットに使用されているランプソケットやブッシュは、いずれも冷陰極管の端部を個別に保持するものであるから、上記の問題とは無縁のものである。従って、これらの特許文献１，２の技術は、上記の問題の解決には役立たない。
【０００９】
また、前記特許文献３は、並列する冷陰極管の相互間隔の変更に対応できるものではあるが、ランプソケットではなく、光源装置のリアフレームの中央部付近に取付けられて挟持部により冷陰極管の中間部分を挟持するクリップに係るものであり、ランプソケットのようにリアフレームの側板に沿って取付ける場合には適さないものである。
【００１０】
本発明は上記事情の下になされたもので、その解決しようとする課題は、Ｕ字形冷陰極管の管径が同一であればＵ字形冷陰極管のピッチ（左右の冷陰極管の相互間隔）が異なっていても、そのピッチに合致するように左右のランプ保持部の相互間隔を変更して同じものを共用できる便利な可変ランプソケットを提供することにある。
【課題を解決するための手段】
【００１１】
上記課題を解決するため、本発明に係る可変ランプソケットは、Ｕ字形冷陰極管の両端部を保持する左右のランプ保持部と、左右のランプ保持部を連結する横長の連結部と、下方に突き出す左右の脚部とを、エラストマーで一体に成形したランプソケットであって、上記連結部に上下方向に貫通する空洞部を形成して、上記連結部を前壁部と後壁部を有する二重壁構造としたことを特徴とするものである。
【００１２】
本発明の可変ランプソケットでは、前記連結部の左右両端近傍部において、前記連結部の前面に上下方向の切欠き溝を設けると共に、前記空洞部の後面と左右の側面とで形成されるコーナー部に上下方向の切欠き溝を設けることが望ましい。
【００１３】
そして、前記連結部の左右中間部において、前記前壁部の後面を前方へ湾曲する湾曲面となして前記前壁部を薄肉化すると共に、前記後壁部の後面を前方へ湾曲する湾曲面となして前記後壁部を薄肉化することが望ましい。
【００１４】
また、前記連結部の左右中央部において、前記前壁部の後面に上下方向の切欠き溝を設けると共に、前記後壁部の後面に上下方向の切欠き溝を設けることも望ましい。
【発明の効果】
【００１５】
本発明の可変ランプソケットのように、左右のランプ保持部を連結する横長の連結部に上下方向に貫通する空洞部を形成して、連結部を前壁部と後壁部を有する二重壁構造にすると、連結部が前方向又は後方向に湾曲変形し易くなるため、左右のランプ保持部を中央に向かって両側から押すと、連結部が前方向又は後方向に容易に湾曲変形して、左右のランプ保持部の相互間隔を任意に短縮、変更することができる。従って、本発明の可変ランプソケットは、Ｕ字形冷陰極管のピッチが異なっても、そのピッチに合致するように左右のランプ保持部の相互間隔を変更して同じものを共用できるので、従来のようにピッチが異なるＵ字形冷陰極管ごとに専用のランプソケットを揃える必要がなくなり、コストダウンが可能となると共に、面倒な仕分け作業をなくすことも可能となる。
【００１６】
また、前記連結部の左右両端近傍部において、前記連結部の前面に上下方向の切欠き溝を設けると共に、前記空洞部の後面と左右の側面とで形成されるコーナー部に上下方向の切欠き溝を設けた可変ランプソケットは、これらの切欠き溝のところで連結部が前方へ屈曲変形し易くなるため、左右のランプ保持部を中央に向かって両側から押すと、連結部が左右両端近傍の切欠き溝のところで前方へ自然に屈曲変形すると共に、連結部の中間部が前方へ自然に湾曲変形して、左右のランプ保持部の相互間隔を容易に短縮、変更することが可能となる。ランプソケットは、通常、液晶モジュールなどのリアフレームの側板に沿って取付けられ、ランプソケットの後側には連結部が充分に湾曲変形するだけのスペースが存在しない場合が多いので、上記のように連結部の中間部が自然に前方へ湾曲変形するように構成された可変ランプソケットは、より好ましいものである。
【００１７】
更に、前記連結部の左右中間部において、前壁部の後面を前方へ湾曲する湾曲面となして前壁部を薄肉化すると共に、後壁部の後面を前方へ湾曲する湾曲面となして後壁部を薄肉化した可変ランプソケットは、前壁部の中間部および後壁部の中間部が前方へ一層湾曲変形し易くなり、左右のランプ保持部を中央に向かって両側から押したときに、連結部の前壁部および後壁部が確実に前方へ湾曲変形するため、一層好適なものである。
【００１８】
また、前記連結部の左右中央部において、前壁部の後面に上下方向の切欠き溝を設けると共に、後壁部の後面に上下方向の切欠き溝を設けた可変ランプソケットは、これらの切欠き溝のところで前壁部及び後壁部が前方へ屈曲変形し易くなり、左右のランプ保持部を中央に向かって両側から押したときに、連結部の前壁部及び後壁部が確実に前方へ屈曲変形するため、この可変ランプソケットも好適なものである。
【図面の簡単な説明】
【００１９】
【図１】本発明の一実施形態に係る可変ランプソケットの斜視図である。
【図２】同可変ランプソケットの平面図である。
【図３】同可変ランプソケットの正面図である。
【図４】同可変ランプソケットの右側面図である。
【図５】同可変ランプソケットの背面図である。
【図６】同可変ランプソケットの使用状態を示す平面図である。
【図７】同可変ランプソケットの使用状態を示す背面図である。
【図８】同可変ランプソケットの他の使用状態を示す平面図である。
【図９】本発明の他の実施形態に係る可変ランプソケットの平面図である。
【図１０】従来のランプソケットの使用状態を示す平面図である。
【発明を実施するための形態】
【００２０】
以下、図面に基づいて本発明に係る可変ランプソケットの実施形態を詳細に説明する。
【００２１】
この実施形態の可変ランプソケットＬＳは、弾力性がある電気絶縁性の合成ゴムや合成樹脂などのエラストマーで一体に成形されたものであって、図１〜図７に示すように、Ｕ字形冷陰極管１の両端部を保持する左右のランプ保持部２，２と、この左右のランプ保持部２，２を連結する横長の連結部３と、この連結部３の両端部とランプ保持部２，２との接合部分から下方に突き出す左右の脚部４，４とを備えている。
【００２２】
左右のランプ保持部２は、その内部にＵ字形冷陰極管１の両端部を嵌合保持する円形横穴部２ａを前面側から形成すると共に、この円形横穴部２ａの上側に、円形横穴部の直径よりも幅が狭いスリット部２ｂを連通させて形成したものであって、このスリット部２ｂを押し開きながら、Ｕ字形冷陰極管１のピン電極１ｂを有する両端部を上方から円形横穴部２ａに嵌め込むことによって、ワンタッチで嵌合保持できるようになっている。
【００２３】
そして、Ｕ字形冷陰極管１のピン電極１ｂ，１ｂにハンダ付けされたランプワイヤ５，５は、図６，図７に示すように、一旦上方へ引き出されてから逆Ｕ字状に曲げられてランプ保持部２，２の上面の凹部２ｃ，２ｃ（図１参照）に嵌め込まれ、更に、連結部３の両端部の背面から脚部４，４の背面にかけて形成された上下方向のスリット部３ｊ，３ｊに嵌め込まれて下方に引き出されるようになっている。これらのスリット部３ｊ，３ｊは、その奥側がランプワイヤ５，５を挿通する縦孔状に形成されており、且つ、ランプワイヤ５，５が背面側へ抜け出さないようにスリット部手前側の幅が狭くなっている。なお、ランプワイヤ５，５の先端のコネクタ６は、液晶モジュールなどのリアフレーム７の背面に取付けられた配線基板（不図示）の給電用のコネクタに接続されるようになっている。
【００２４】
左右のランプ保持部２，２を連結する横長の連結部３は、図１，図２に示すように上下方向に貫通する空洞部３ａを形成することによって、湾曲変形が容易な前壁部３ｂと後壁部３ｃを有する二重壁構造とされている。そして、前壁部３ｂと後壁部３ｃは左右一対の架橋部３ｄ，３ｄで架橋され、捻じれないように補強されている。
【００２５】
また、この連結部３の左右両端近傍部においては、連結部３の前面（前壁部３ｂの前面）に上下方向の切欠き溝３ｅ，３ｅが設けられると共に、空洞部３ａの後面と左右の側面とで形成されるコーナー部にも上下方向の切欠き溝３ｆ，３ｆが設けられている。そのため、この連結部３は、これらの切欠き溝３ｅ，３ｅ，３ｆ，３ｆのところで前方へ屈曲変形し易くなっている。
【００２６】
更に、この連結部３の左右中間部においては、前壁部３ｂの後面が前方へ湾曲する湾曲面３ｇに形成されて前壁部３ｂの左右中間部が薄肉化されると共に、後壁部３ｃの後面も前方へ湾曲する湾曲面３ｈに形成されて後壁部３ｃの左右中間部も薄肉化されている。そのため、この連結部３は、前壁部３ｂの中間部および後壁部３ｃの中間部が前方へ湾曲変形し易くなっている。
【００２７】
上記構成の可変ランプソケットＬＳは、ランプ保持部２，２（円形横穴部２ａ，２ａ）の相互間隔とＵ字形冷陰極管１のピッチ（左右の冷陰極管１ａ，１ａの相互間隔）が等しい場合には、図６，図７に示すように、Ｕ字形冷陰極管１の両端部を左右のランプ保持部２，２に嵌合保持させ、連結部３を変形させないで左右の脚部４，４を液晶モジュールのリアフレーム７の取付穴７ａ，７ａに嵌め込むことにより、リアフレーム７の側板７ｂに沿って取付けられる。
【００２８】
これに対し、液晶モジュールがピッチの小さいＵ字形冷陰極管（管径は同一）を使用するものであって、リアフレーム７の取付穴７ａ，７ａの間隔が小さい場合には、可変ランプソケットＬＳの左右のランプ保持部２，２を両側から押すことによって、図８に示すように、連結部３を左右両端近傍部の切欠き溝３ｅ，３ｅ，３ｆ，３ｆのところで前方へ自然に屈曲変形させると共に、連結部３の左右中間部（前壁部３ｂ及び後壁部３ｃの薄肉化された中間部）を前方へ自然に湾曲変形させ、左右のランプ保持部２，２の相互間隔をＵ字形冷陰極管１のピッチに合致させて左右の脚部４，４をリアフレーム７の取付穴に嵌め込んで取付けることができる。そして、連結部３を大きく湾曲変形させるほど、左右のランプ保持部２，２の相互間隔が小さくなり、よりピッチの小さいＵ字形冷陰極管の装着が可能となる。
【００２９】
上記のように、この可変ランプソケットＬＳは、Ｕ字形冷陰極管１のピッチが異なっても、そのピッチに合致するように左右のランプ保持部の相互間隔を変更して同じものを共用できるので、従来のようにピッチが異なるＵ字形冷陰極管ごとに専用のランプソケットを揃える必要がなくなり、コストダウンが可能になると共に、面倒な仕分け作業をなくすことも可能となる。しかも、連結部３が左右両端近傍の切欠き溝３ｅ，３ｅ，３ｆ，３ｆのところで前方へ自然に屈曲変形し、且つ、前壁部３ｂと後壁部３ｃの薄肉化された中間部で前方へ自然に湾曲変形するように構成されているため、ランプソケットの背後に連結部変形用のスペースがなくても、確実に取付けることが可能となる。
【００３０】
なお、リアフレーム７に掛止部を設けて、湾曲変形した連結部３を掛止させるように構成すると、左右のランプ保持部２，２や脚部４，４を押し拡げる方向の応力を抑制できる利点があるので好ましい。
【００３１】
図９は本発明の他の実施形態に係る可変ランプソケットの平面図であって、この可変ランプソケットＬＳは、連結部３の左右中央部において、前壁部３ｂの後面に上下方向のＶ字状の切欠き溝３ｉを設けると共に、後壁部３ｃの後面にも上下方向のＶ字状の切欠き溝３ｉを設けた点で、前記実施形態の可変ランプソケットＬＳと構成が異なっている。
その他の構成は前記実施形態の可変ランプソケットＬＳと同様であるので、図９において同一部材に同一符号を付し、重複説明を省略する。
【００３２】
この可変ランプソケットＬＳは、Ｖ字状の切欠き溝３ｉ，３ｉのところで前壁部３ｂおよび後壁部３ｃが前方へ屈曲し易くなり、左右のランプ保持部２，２を中央に向かって両側から押したときに、連結部３の前壁部３ｂおよび後壁部３ｃが確実に前方へ屈曲変形するので、前記可変ランプソケットＬＳと同様の作用効果を奏するものである。
【符号の説明】
【００３３】
１    Ｕ字形冷陰極管
２    ランプ保持部
３    連結部
３ａ  空洞部
３ｂ  前壁部
３ｃ  後壁部
３ｅ，３ｆ，３ｉ  切欠き溝
３ｇ，３ｈ  湾曲面
４    脚部
５    ランプワイヤ
７    リアフレーム
７ａ  取付穴
ＬＳ  可変ランプソケット
【図１】
2012221712.tif 000003
【図２】
2012221712.tif 000004
【図３】
2012221712.tif 000005
【図４】
2012221712.tif 000006
【図５】
2012221712.tif 000007
【図６】
2012221712.tif 000008
【図７】
2012221712.tif 000009
【図８】
2012221712.tif 000010
【図９】
2012221712.tif 000011
【図１０】
2012221712.tif 000012